(57)【要約】【課題】機器の近傍にいる者のみに該機器の使用を許可することができるアクセス制御システム等を提供する。【解決手段】ユーザが端末装置３１を操作することで、接続要求がリソース側に送られ、リソースに設けられたインジケータ２１が、乱数発生器等で決められた時間の間隔で点滅（第１のオン／オフパターン）する。ユーザは、インジケータ２１の点滅を見て、点灯しているときは端末装置３１に備えられたボタン４１を押し、消灯しているときはボタン４１を放す（第２のオン／オフパターン）。リソース側では、第１のオン／オフパターンと第２のオン／オフパターンの比較を行い、第１および第２のオン／オフパターンが所定の許容範囲内で一致するときは、第１の比較出力を形成し、接続要求を許可する。また、第１および第２のオン／オフパターンが所定の許容範囲外であるときは、第２の比較出力を形成し、接続要求を却下する。【選択図】  図４
2006080734.tif 000002
【特許請求の範囲】
【請求項１】
機器に対するアクセスを制御するシステムにおいて、
機器と一体または別個に設けられ、上記機器の近傍から知覚することが可能な第１のオン／オフパターンを呈示するパターン呈示装置と、
接続要求および入力された第２のオン／オフパターンを上記機器に送信する端末装置と、
上記第１のオン／オフパターンと上記第２のオン／オフパターンを比較し、上記第１のオン／オフパターンと上記第２のオン／オフパターンが所定の許容範囲内で一致することを示す第１の比較出力および上記第１のオン／オフパターンと上記第２のオン／オフパターンが上記所定の許容範囲外であることを示す第２の比較出力のいずれかの比較出力を形成し、
上記第１の比較出力が形成された場合は、上記端末装置の上記機器に対する上記接続要求を許可し、上記第２の比較出力が形成された場合は、上記端末装置の上記機器に対する上記接続要求を却下する制御装置からなるアクセス制御システム。
【請求項２】
上記第１のオン／オフパターンは、発光素子の点滅によるパターンである請求項１に記載のアクセス制御システム。
【請求項３】
上記第１のオン／オフパターンは、音の大小によるパターンである請求項１に記載のアクセス制御システム。
【請求項４】
上記第２の比較出力が形成された場合に、さらに上記パターン呈示装置により第３のオン／オフパターンが呈示されると共に、上記端末装置に第４のオン／オフパターンが入力され、上記機器に対して上記第４のオン／オフパターンが送信され、
上記パターン呈示装置により呈示された第１および第３のオン／オフパターンと、上記端末装置に入力された第２および第４のオン／オフパターンを比較し、
上記比較の結果に基づいて、上記端末装置の上記機器に対する上記接続要求を許可するか否かを決定する制御装置からなる請求項１に記載のアクセス制御システム。
【請求項５】
上記第１および第３のオン／オフパターンは、発光素子の点滅によるパターンである請求項４に記載のアクセス制御システム。
【請求項６】
上記第１および第３のオン／オフパターンは、音の大小によるパターンである請求項４に記載のアクセス制御システム。
【請求項７】
機器に対するアクセスを制御するシステムにおいて、
機器と一体または別個に設けられ、上記機器の近傍から知覚することが可能な独立した２種の信号の変化からなる第１のパターンを呈示するパターン呈示装置と、
接続要求および上記ユーザにより入力される２種の入力信号の変化からなる第２のパターンを上記機器に送信する端末装置と、
上記第１のパターンと上記第２のパターンが一致することを示す第１の比較出力および上記第１のパターンと上記第２のパターンが一致しないことを示す第２の比較出力のいずれかを形成し、
上記第１の比較出力が形成された場合は、上記端末装置の上記機器に対する上記接続要求を許可し、上記第２の比較出力が形成された場合は、上記端末装置の上記機器に対する上記接続要求を却下する制御装置からなるアクセス制御システム。
【請求項８】
上記第１のパターンは、第１および第２の発光素子の点滅によるパターンである請求項７に記載のアクセス制御システム。
【請求項９】
上記第１のパターンは、音量の変化によるパターンである請求項７に記載のアクセス制御システム。
【請求項１０】
機器に対するアクセスを制御する方法において、
機器と一体または別個に設けられ、上記機器の近傍から知覚することが可能な第１のオン／オフパターンを呈示するステップと、
接続要求および入力された第２のオン／オフパターンを上記機器に送信するステップと、
上記第１のオン／オフパターンと上記第２のオン／オフパターンを比較し、上記第１のオン／オフパターンと上記第２のオン／オフパターンが所定の許容範囲内で一致することを示す第１の比較出力および上記第１のオン／オフパターンと上記第２のオン／オフパターンが上記所定の許容範囲外であることを示す第２の比較出力のいずれかの比較出力を形成するステップと、
上記第１の比較出力が形成された場合は、上記端末装置の上記機器に対する上記接続要求を許可し、上記第２の比較出力が形成された場合は、上記端末装置の上記機器に対する上記接続要求を却下するステップからなるアクセス制御方法。
【請求項１１】
上記第１のオン／オフパターンは、発光素子の点滅によるパターンである請求項１０に記載のアクセス制御方法。
【請求項１２】
上記第１のオン／オフパターンは、音の大小によるパターンである請求項１０に記載のアクセス制御方法。
【請求項１３】
上記第２の比較出力が形成された場合に、さらに上記パターン呈示装置により第３のオン／オフパターンが呈示されると共に、上記端末装置に第４のオン／オフパターンが入力され、上記機器に対して上記第４のオン／オフパターンが送信されるステップと、
上記パターン呈示装置により呈示された第１および第３のオン／オフパターンと、上記端末装置に入力された第２および第４のオン／オフパターンを比較するステップと、
上記比較の結果に基づいて、上記端末装置の上記機器に対する上記接続要求を許可するか否かを決定するステップからなる請求項１０に記載のアクセス制御方法。
【請求項１４】
上記第１および第３のオン／オフパターンは、発光素子の点滅によるパターンである請求項１３に記載のアクセス制御方法。
【請求項１５】
上記第１および第３のオン／オフパターンは、音の大小によるパターンである請求項１３に記載のアクセス制御方法。
【請求項１６】
機器に対するアクセスを制御する方法において、
機器と一体または別個に設けられ、上記機器の近傍から知覚することが可能な独立した２種の信号の変化からなる第１のパターンを呈示するステップと、
接続要求および上記ユーザにより入力される２種の入力信号の変化からなる第２のパターンを上記機器に送信するステップと、
上記第１のパターンと上記第２のパターンが一致することを示す第１の比較出力および上記第１のパターンと上記第２のパターンが一致しないことを示す第２の比較出力のいずれかを形成するステップと、
上記第１の比較出力が形成された場合は、上記端末装置の上記機器に対する上記接続要求を許可し、上記第２の比較出力が形成された場合は、上記端末装置の上記機器に対する上記接続要求を却下するステップからなるアクセス制御方法。
【請求項１７】
上記第１のパターンは、第１および第２の発光素子の点滅によるパターンである請求項１６に記載のアクセス制御方法。
【請求項１８】
上記第１のパターンは、音量の変化によるパターンである請求項１６に記載のアクセス制御方法。
【請求項１９】
特定の者のみの接続要求が許可される機器に対して、
機器と一体または別個に設けられたパターン呈示装置が呈示する第１のオン／オフパターンに対応して入力された第２のオン／オフパターンと、接続要求とを上記機器に対して送信する端末装置。
【請求項２０】
特定の者のみの接続要求が許可される機器に対して、
機器と一体または別個に設けられたパターン呈示装置が、さらに呈示する第３のオン／オフパターンに対応して入力された第４のオン／オフパターンを上記機器に対して送信する請求項１９に記載の端末装置。
【請求項２１】
特定の者のみの接続要求が許可される機器に対して、
機器と一体または別個に設けられたパターン呈示装置が呈示する独立した２種の信号の変化からなる第１のパターンに対応して入力された２種の入力信号の変化からなる第２のパターンと、接続要求とを上記機器に対して送信する端末装置。
【請求項２２】
端末装置からアクセスされるネットワーク機器において、
ネットワーク機器と一体または別個に設けられ、上記ネットワーク機器の近傍から知覚することが可能な第１のオン／オフパターンを呈示するパターン呈示装置と、
端末装置において第２のオン／オフパターンが入力され、上記端末装置から上記第２のオン／オフパターンおよび接続要求が送信され、
上記第１のオン／オフパターンと上記第２のオン／オフパターンを比較し、上記第１のオン／オフパターンと上記第２のオン／オフパターンが所定の許容範囲内で一致することを示す第１の比較出力および上記第１のオン／オフパターンと上記第２のオン／オフパターンが上記所定の許容範囲外であることを示す第２の比較出力のいずれかの比較出力を形成し、
上記第１の比較出力が形成された場合は、上記端末装置の上記ネットワーク機器に対する上記接続要求を許可し、上記第２の比較出力が形成された場合は、上記端末装置の上記ネットワーク機器に対する上記接続要求を却下する制御装置からなるネットワーク機器。
【請求項２３】
上記第２の比較出力が形成された場合に、さらに上記パターン呈示装置により第３のオン／オフパターンが呈示されると共に、上記端末装置に第４のオン／オフパターンが入力され、
上記パターン呈示装置により呈示された第１および第３のオン／オフパターンと、上記端末装置に入力された第２および第４のオン／オフパターンを比較し、
上記比較の結果に基づいて、上記端末装置の上記ネットワーク機器に対する上記接続要求を許可するか否かを決定する制御装置からなる請求項２２に記載のネットワーク機器。
【請求項２４】
端末装置からアクセスされるネットワーク機器において、
ネットワーク機器と一体または別個に設けられ、上記ネットワーク機器の近傍から知覚することが可能な独立した２種の信号の変化からなる第１のパターンを呈示するパターン呈示装置と、
端末装置において第２のオン／オフパターンが入力され、上記端末装置から上記第２のオン／オフパターンおよび接続要求が送信され、
上記第１のパターンと上記第２のパターンが一致することを示す第１の比較出力および上記第１のパターンと上記第２のパターンが一致しないことを示す第２の比較出力のいずれかを形成し、
上記第１の比較出力が形成された場合は、上記端末装置の上記ネットワーク機器に対する接続要求を許可し、上記第２の比較出力が形成された場合は、上記端末装置の上記ネットワーク機器に対する接続要求を却下する制御装置からなるネットワーク機器。
【請求項２５】
機器に対するアクセス制御プログラムにおいて、
機器と一体または別個に設けられ、上記機器の近傍から知覚することが可能な第１のオン／オフパターンを呈示するステップと、
接続要求および入力された第２のオン／オフパターンを上記機器に送信するステップと、
上記第１のオン／オフパターンと上記第２のオン／オフパターンを比較し、上記第１のオン／オフパターンと上記第２のオン／オフパターンが所定の許容範囲内で一致することを示す第１の比較出力および上記第１のオン／オフパターンと上記第２のオン／オフパターンが上記所定の許容範囲外であることを示す第２の比較出力のいずれかの比較出力を形成するステップと、
上記第１の比較出力が形成された場合は、上記端末装置の上記機器に対する上記接続要求を許可し、上記第２の比較出力が形成された場合は、上記端末装置の上記機器に対する上記接続要求を却下するステップからなるアクセス制御方法をコンピュータに実行させるアクセス制御プログラム。
【請求項２６】
機器に対するアクセス制御プログラムにおいて、
機器と一体または別個に設けられ、上記機器の近傍から知覚することが可能な独立した２種の信号の変化からなる第１のパターンを呈示するステップと、
接続要求および上記ユーザにより入力される２種の入力信号の変化からなる第２のパターンを上記機器に送信するステップと、
上記第１のパターンと上記第２のパターンが一致することを示す第１の比較出力および上記第１のパターンと上記第２のパターンが一致しないことを示す第２の比較出力のいずれかを形成するステップと、
上記第１の比較出力が形成された場合は、上記端末装置の上記機器に対する上記接続要求を許可し、上記第２の比較出力が形成された場合は、上記端末装置の上記機器に対する上記接続要求を却下するステップからなるアクセス制御方法をコンピュータに実行させるアクセス制御プログラム。
【発明の詳細な説明】
【技術分野】
【０００１】
この発明は、アクセス制御システム、アクセス制御方法、端末装置、ネットワーク機器およびアクセス制御プログラムに関する。
【背景技術】
【０００２】
近年、無線ＬＡＮ（Local Area Network）と称されるように、例えば駅、ハンバーガーショップ等の場所に無線基地局（以下、適宜アクセスポイントと称する）を設置し、その場に居る人がアクセスポイントにアクセスすることでインターネットに接続したり、所定のサービスを受けることが行われている。このような無線ＬＡＮでは、不特定多数の者によりアクセスされることが予想されるため、より簡易に操作でき、かつセキュリティに優れたアクセス制御方法が望まれる。
【０００３】
下記特許文献１には、その場に居る人のみが、ＬＡＮに接続されたプリンタ、ディスプレイ等のリソースを使用できるようにするアクセス制御に関する発明が記載されている。
【０００４】
【特許文献１】特開２００４−１０２６６３
【発明の開示】
【発明が解決しようとする課題】
【０００５】
上記特許文献１に記載されている発明では、リソース側に備えられたディスプレイにキーワードを呈示し、ユーザがそのキーワードを端末装置を用いて入力することによりリソースの使用が許可されたり、所望のサービスを受けることが可能となり、リソースの使用の権限が無い者のアクセスを制限できる。このため、リソース側にはキーワードを呈示するディスプレイ、また端末装置には呈示されたキーワードを入力する入力装置が必要となる。
【０００６】
しかしながら、近年、リソース（例えば上述したような無線ＬＡＮのアクセスポイント）や各種端末装置の小型化が進み、リソース側ではキーワードを呈示するディスプレイ、また端末装置側では文字列を入力する入力装置を備えるスペースを持たないデバイスなども増えている。
【０００７】
したがって、この発明の目的は、特殊なハードウェアを必要とせずにかつより簡易な方法により、その場所に居る人のみにリソースの使用を許可することによって、これらの問題点を解決することができるアクセス制御システム、アクセス制御方法、端末装置、ネットワーク機器およびアクセス制御プログラムを提供することにある。
【課題を解決するための手段】
【０００８】
上述した課題を解決するために、請求項１に係る発明は、機器に対するアクセスを制御するシステムにおいて、機器と一体または別個に設けられ、機器の近傍から知覚することが可能な第１のオン／オフパターンを呈示するパターン呈示装置と、接続要求および入力された第２のオン／オフパターンを機器に送信する端末装置と、第１のオン／オフパターンと第２のオン／オフパターンを比較し、第１のオン／オフパターンと第２のオン／オフパターンが所定の許容範囲内で一致することを示す第１の比較出力および第１のオン／オフパターンと第２のオン／オフパターンが所定の許容範囲外であることを示す第２の比較出力のいずれかの比較出力を形成し、第１の比較出力が形成された場合は、端末装置の機器に対する接続要求を許可し、第２の比較出力が形成された場合は、端末装置の機器に対する接続要求を却下する制御装置からなるアクセス制御システムである。
【０００９】
請求項７に係る発明は、機器に対するアクセスを制御するシステムにおいて、機器と一体または別個に設けられ、機器の近傍から知覚することが可能な独立した２種の信号の変化からなる第１のパターンを呈示するパターン呈示装置と、接続要求およびユーザにより入力される２種の入力信号の変化からなる第２のパターンを機器に送信する端末装置と、第１のパターンと第２のパターンが一致することを示す第１の比較出力および第１のパターンと第２のパターンが一致しないことを示す第２の比較出力のいずれかを形成し、第１の比較出力が形成された場合は、端末装置の機器に対する接続要求を許可し、第２の比較出力が形成された場合は、端末装置の機器に対する接続要求を却下する制御装置からなるアクセス制御システムである。
【００１０】
請求項１０に係る発明は、機器に対するアクセスを制御する方法において、機器と一体または別個に設けられ、機器の近傍から知覚することが可能な第１のオン／オフパターンを呈示するステップと、接続要求および入力された第２のオン／オフパターンを機器に送信するステップと、第１のオン／オフパターンと第２のオン／オフパターンを比較し、第１のオン／オフパターンと第２のオン／オフパターンが所定の許容範囲内で一致することを示す第１の比較出力および第１のオン／オフパターンと第２のオン／オフパターンが所定の許容範囲外であることを示す第２の比較出力のいずれかの比較出力を形成するステップと、第１の比較出力が形成された場合は、端末装置の機器に対する接続要求を許可し、第２の比較出力が形成された場合は、端末装置の機器に対する接続要求を却下するステップからなるアクセス制御方法である。
【００１１】
請求項１６に係る発明は、機器に対するアクセスを制御する方法において、機器と一体または別個に設けられ、機器の近傍から知覚することが可能な独立した２種の信号の変化からなる第１のパターンを呈示するステップと、接続要求およびユーザにより入力される２種の入力信号の変化からなる第２のパターンを機器に送信するステップと、第１のパターンと第２のパターンが一致することを示す第１の比較出力および第１のパターンと第２のパターンが一致しないことを示す第２の比較出力のいずれかを形成するステップと、第１の比較出力が形成された場合は、端末装置の機器に対する接続要求を許可し、第２の比較出力が形成された場合は、端末装置の機器に対する接続要求を却下するステップからなるアクセス制御方法である。
【００１２】
請求項１９に係る発明は、特定の者のみの接続要求が許可される機器に対して、機器と一体または別個に設けられたパターン呈示装置が呈示する第１のオン／オフパターンに対応して入力された第２のオン／オフパターンと、接続要求とを機器に対して送信する端末装置である。
【００１３】
請求項２１に係る発明は、特定の者のみの接続要求が許可される機器に対して、機器と一体または別個に設けられたパターン呈示装置が呈示する独立した２種の信号の変化からなる第１のパターンに対応して入力された２種の入力信号の変化からなる第２のパターンと、接続要求とを機器に対して送信する端末装置である。
【００１４】
請求項２２に係る発明は、端末装置からアクセスされるネットワーク機器において、ネットワーク機器と一体または別個に設けられ、ネットワーク機器の近傍から知覚することが可能な第１のオン／オフパターンを呈示するパターン呈示装置と、端末装置において第２のオン／オフパターンが入力され、端末装置から第２のオン／オフパターンおよび接続要求が送信され、第１のオン／オフパターンと第２のオン／オフパターンを比較し、第１のオン／オフパターンと第２のオン／オフパターンが所定の許容範囲内で一致することを示す第１の比較出力および第１のオン／オフパターンと第２のオン／オフパターンが所定の許容範囲外であることを示す第２の比較出力のいずれかの比較出力を形成し、第１の比較出力が形成された場合は、端末装置のネットワーク機器に対する接続要求を許可し、第２の比較出力が形成された場合は、端末装置のネットワーク機器に対する接続要求を却下する制御装置からなるネットワーク機器である。
【００１５】
請求項２４に係る発明は、端末装置からアクセスされるネットワーク機器において、ネットワーク機器と一体または別個に設けられ、ネットワーク機器の近傍から知覚することが可能な独立した２種の信号の変化からなる第１のパターンを呈示するパターン呈示装置と、端末装置において第２のオン／オフパターンが入力され、端末装置から第２のオン／オフパターンおよび接続要求が送信され、第１のパターンと第２のパターンが一致することを示す第１の比較出力および第１のパターンと第２のパターンが一致しないことを示す第２の比較出力のいずれかを形成し、第１の比較出力が形成された場合は、端末装置のネットワーク機器に対する接続要求を許可し、第２の比較出力が形成された場合は、端末装置のネットワーク機器に対する接続要求を却下する制御装置からなるネットワーク機器である。
【００１６】
請求項２５に係る発明は、機器に対するアクセス制御プログラムにおいて、機器と一体または別個に設けられ、機器の近傍から知覚することが可能な第１のオン／オフパターンを呈示するステップと、接続要求および入力された第２のオン／オフパターンを機器に送信するステップと、第１のオン／オフパターンと第２のオン／オフパターンを比較し、第１のオン／オフパターンと第２のオン／オフパターンが所定の許容範囲内で一致することを示す第１の比較出力および第１のオン／オフパターンと第２のオン／オフパターンが所定の許容範囲外であることを示す第２の比較出力のいずれかの比較出力を形成するステップと、第１の比較出力が形成された場合は、端末装置の機器に対する接続要求を許可し、第２の比較出力が形成された場合は、端末装置の機器に対する接続要求を却下するステップからなるアクセス制御方法をコンピュータに実行させるアクセス制御プログラムである。
【００１７】
請求項２６に係る発明は、機器に対するアクセス制御プログラムにおいて、機器と一体または別個に設けられ、機器の近傍から知覚することが可能な独立した２種の信号の変化からなる第１のパターンを呈示するステップと、接続要求およびユーザにより入力される２種の入力信号の変化からなる第２のパターンを機器に送信するステップと、第１のパターンと第２のパターンが一致することを示す第１の比較出力および第１のパターンと第２のパターンが一致しないことを示す第２の比較出力のいずれかを形成するステップと、第１の比較出力が形成された場合は、端末装置の機器に対する接続要求を許可し、第２の比較出力が形成された場合は、端末装置の機器に対する接続要求を却下するステップからなるアクセス制御方法をコンピュータに実行させるアクセス制御プログラムである。
【発明の効果】
【００１８】
この発明によれば、利用する機器の近傍にいる人のみに機器に対する接続要求を許可することができ、オン／オフパターンや独立した２種の信号の変化からなるパターンを知覚することができない場所からの利用をより簡易な方法により制限することができる。したがって、例えば電波の届く範囲であってもオン／オフパターンや独立した２種の信号の変化からなるパターンを知覚できない場所からは接続することができない無線ＬＡＮのアクセスポイントを実現することができる。
【００１９】
また、この発明によれば、例えば既存の無線ＬＡＮのアクセスポイントであっても、アクセスポイントに備えられるインジケータのＬＥＤ(Light Emitting Diode)などを利用することにより、ハードウェアを変更する必要がないという利点がある。
【００２０】
さらにこの発明によれば、最低限、リソース側にインジケータが一つ、端末装置にボタン等の入力手段が一つあればよいので、ネットワーク機器および端末装置を小型化することができ、操作性も高めることができる。
【発明を実施するための最良の形態】
【００２１】
以下、図面を参照しながらこの発明の一実施形態について説明する。図１Ａおよび図１Ｂは、この発明の一実施形態におけるリソースである無線ＬＡＮのアクセスポイント１１およびアクセスポイント１２を示す。
【００２２】
アクセスポイント１１には例えばＬＥＤなど発光素子であるインジケータ２１が備えられる。また、アクセスポイント１２には、インジケータ２２およびインジケータ２３が備えられる。なお、３つ以上のインジケータを備えるアクセスポイントも利用できるが、利便性を考えるとインジケータの数は１つまたは２つであることが好ましい。また、インジケータはアクセスポイントと一体ではなく、別個の装置に備えられる構成としてもよい。
【００２３】
例えば、アクセスポイント１１は、上述したように駅、ハンバーガーショップなどに設置されており、またアクセスポイント１１に備えられるインジケータ２１の点滅は、その近傍にいる者のみしか知覚できないようにされている。
【００２４】
図２Ａ〜図２Ｃは、ユーザにより操作される端末装置３１〜端末装置３３を示す。端末装置３１には入力手段としてボタン４１が、端末装置３２にはボタン４２およびボタン４３がそれぞれ備えられる。また、図２Ｃに示すようにボタンの形状を方向指示キー４４にすることもでき、より操作性を向上させることもできる。
【００２５】
なお、端末装置にディスプレイが備えられる場合は、ＧＵＩ（Graphical User Interface）によって操作することも可能である。図３Ａに示すように、端末装置５１に備えられるディスプレイ６１にタッチスクリーンボタン７１を表示し、ディスプレイをタッチすることにより操作することもできる。図３Ｂは、ディスプレイ６２にタッチスクリーンボタン７２およびタッチスクリーンボタン７３が備えられる端末装置５２であり、図３Ｃはディスプレイ６３に方向指示キー７４が備えられる端末装置５３を示したものである。
【００２６】
なお、上述した端末装置に限らず、形状やボタンの配列、他の機能等については自由に設定することができる。さらに、この発明ではＰＤＡ（Personal Digital Assistants）、携帯電話等の既存の端末装置を活用することもできる。すなわち、既存の端末装置において、例えばネットワークを介して所定のプログラムをダウンロードすることで同様の機能を実現できるようにしてもよい。
【００２７】
次にリソースと端末装置の通信関係等について図４〜図６を用いて説明する。なお、ここではアクセスポイント１１および端末装置３１を用いて説明する。
【００２８】
図４はこの一実施形態におけるリソースであるアクセスポイント１１の処理の流れを示す。ユーザが端末装置３１を操作することによりアクセスポイント１１に対して接続要求がなされる（ステップＳ１０１）。接続要求は、例えばユーザにより端末装置３１にＵＲＬ（Uniform Resource Locator）が入力されることにより行われる。また、接続要求は、端末装置３１にＵＲＬを入力するだけではなく、ユーザが所定のリストからアドレスを選択しＴＣＰ／ＩＰ（Transmission Control Protocol/Internet Protocol）の接続を行うことやブロードキャストやマルチキャストのパケットを送出するなどの手段でも行われる。
【００２９】
接続要求があると動作はステップＳ１０２に進み、アクセスポイント１１はインジケータ２１を点滅させる処理Ａをｍ1回繰り返す。なお、インジケータ２１は、端末装置３１からの接続要求があってから点滅するようにしてもよいし、常に点滅しているようにしてもよい。
【００３０】
ここで処理Ａについて図５を用いて説明する。ステップＳ１２１では、インジケータ２１が点灯する時間が決められる。次に決められた時間が、アクセスポイント１１に備えられるメモリ（図示しない）などの記録部に記録される（ステップＳ１２２）。決められた時間の間、インジケータ２１は点灯する（ステップＳ１２３、ステップＳ１２４）。
【００３１】
インジケータ２１が点灯している間に動作はステップＳ１２５に進み、次に点灯するまでの時間が決められる。決められた時間が、メモリに記録される（ステップＳ１２６）。ステップＳ１２２において記録された点灯している時間が経過すると、インジケータ２１は消灯し（ステップＳ１２７）、次に点灯するまでの時間の間、消灯した状態を継続する（ステップＳ１２８）。この一連の処理Ａをアクセスポイント１１はｍ1回繰り返すことでインジケータ２１を点滅させる。
【００３２】
図６は第１のオン／オフパターンであるインジケータ２１の点滅パターンの一例を示したものである。はじめに1.0秒点灯し、次に0.5秒消灯、0.5秒点灯、0.8秒消灯、1.2秒点灯、0.5秒消灯する。この点滅パターンは、接続要求に対する認証が終了されるまでアクセスポイント１１のメモリに記憶される。なお、インジケータ２１の点滅時間は、各接続要求に対してランダムに変更する必要があるため、例えば乱数発生器などを用いて決定される。
【００３３】
ここで、再び図４を用いて説明する。ステップＳ１０２における処理Ａによりインジケータ２１はｍ1回の点滅を繰り返す。ここで、接続要求を行ったユーザは、インジケータ２１の点滅に対応して、端末装置３１に備えられたボタン４１の操作を行う。インジケータ２１が点灯しているときはボタン４１を押し、消灯しているときはボタン４１を離すことで第２のオン／オフパターンを入力する。
【００３４】
端末装置３１のボタン４１を操作することで、第２のオン／オフパターンに関する入力データ（以下、適宜データと略す）が形成される。この一実施形態におけるデータは（前回ボタン４１が放されてからボタン４１が押されるまでの時間・ボタン４１を放すまでの時間）という組のデータを用いる。すなわち、例えば「前回ボタンが放されてからボタン４１が押されるまでの時間」が0.52秒で、「ボタン４１を放すまでの時間」が0.5秒であれば（520，500）のような組のデータが形成される。但し、最初にボタン４１を押したときの「前回ボタンが放されてからボタン４１が押されるまでの時間」は０とする。
【００３５】
ステップＳ１０２では、インジケータ２１の点滅はｍ1回行われるため、ユーザによるボタン４１の操作もｍ1回行われ、ｍ1回分のデータが形成される。端末装置３１は形成したデータをアクセスポイント１１に対して送信し、アクセスポイント１１はｍ1回分のデータを受け取る（ステップＳ１０３）。
【００３６】
次に、動作はステップＳ１０４に進み、アクセスポイント１１では端末装置３１から送信されるデータを蓄積し、インジケータ２１の点滅パターンとの比較が行われる。比較の方法としては、例えばインジケータ２１に記憶されている点滅パターンのはじめの点灯時を０として積算した時刻と、端末装置から送られるデータにおいて始めの点灯時に対応してボタン４１が押された時間を０として積算した時刻をそれぞれ比較することにより行われる。
【００３７】
しかしながら、ボタン４１は、ユーザがインジケータ２１の点滅パターンを知覚すること押される（放される）ので、点滅パターンと完全に一致することは極めて稀である。例えば、図７Ａに示すようにインジケータ２１は基準時から1.0秒後に消灯するが、ユーザによるボタン４１の操作では、図７Ｂに示すように、最初（基準０）にボタン４１を押し（オンとする）、消灯を確認してからボタン４１を放す（オフとする）までわずかであるが遅延時間ｄ１が生じてしまう。従って、遅延時間が所定の許容範囲内であれば正しく入力されたものとみなすこともできる。
【００３８】
端末装置３１からは、（前回ボタン４１が放されてからボタン４１が押されるまでの時間・ボタン４１を放すまでの時間）という組のデータが送信されるため、各データにつき、ボタン４１を押した時刻と点灯した時刻の差（例えば図７Ｂにおけるｄ２）およびボタン４１を放した時刻と消灯した時刻の差（例えばｄ３）の合計が所定の範囲内（例えば0.3秒）であれば正しく入力されたものとみなすようにすることもできる。
【００３９】
インジケータ２１の点滅パターンと端末装置３１からの入力パターンのデータの比較がｍ1回行われた結果、間違っているデータの数が、所定の許容範囲内であるｎ1個より小さければ第１の比較出力が形成され、ステップＳ１０６に処理が進み、接続要求が許可される。ｍ1およびｎ1の数は、適切に設定でき、ｎ1の数を調節することで検出レベルを調節することもできる。なお、この一実施形態においては、ｍ1を８回とし、ｎ1を２回とする。ステップＳ１０４でｎ1個以上のデータが間違っている場合、すなわち所定の許容範囲外である場合は、第２の比較出力が形成され、接続要求が却下される。
【００４０】
第２の比較出力が形成された場合に、より確実な認証を行うため、さらに処理Ａを繰り返して行うようにすることもできる。例えば、ステップＳ１０４でｎ1個以上のデータが間違っている場合は、動作はステップＳ１０７に進む。ステップＳ１０７では、間違いのデータの数がｎ2個（但しｎ2＞ｎ1でこの一実施形態では３回とする）でデータの数がｎ2個以上間違っていれば、接続要求は却下され（ステップＳ１１２）、再度、接続要求が行われる（ステップＳ１０１）。
【００４１】
データの間違いの数がｎ2より小さければステップＳ１０８に進み、処理Ａが（ｍ2−ｍ1）回（但し、ｍ2＞ｍ1でこの一実施形態ではｍ2＝１２とする）繰り返されることで、インジケータ２１は、点滅する（第３のオン／オフパターン）。ユーザは、インジケータ２１の点滅に対応して、端末装置３１のボタン４１を操作することで第４のオン／オフパターンを入力する。
【００４２】
端末装置３１の操作により形成された第４のオン／オフパターンに関するデータはアクセスポイント１１に送信され、アクセスポイント１１は端末装置３１から（ｍ2−ｍ1）個のデータを受け取る（ステップＳ１０９）。
【００４３】
動作はステップＳ１１０へと進み、点滅パターンと端末装置３１から送信される（ｍ2−ｍ1）個のデータの比較が行われ、すべてのデータ（ｍ2個のデータ）においてｎ3個（但し、ｎ3≧ｎ2でこの一実施形態では４回とする）以上のデータが間違っている場合は、処理はステップＳ１１２に進み接続要求は却下される。データの間違いの個数がｎ3個より小さければ、処理はステップＳ１０６に進み、接続要求は許可される。
【００４４】
次にインジケータが２つ備えられたアクセスポイント１２の場合について説明する。端末装置は端末装置３２または端末装置３３のいずれでも用いることが可能であるが、この一実施形態では端末装置３２を用いて説明する。
【００４５】
図８は、アクセスポイント１２の処理の流れを示す。ユーザが端末装置３２を操作することにより、アクセスポイント１２に対して接続要求がなされる（ステップＳ２０１）。接続要求があると処理はステップＳ２０２に進み、処理Ｂがｐ回繰り返される。
【００４６】
図９は処理Ｂの処理の流れを示す。ステップＳ２２１では、アクセスポイント１２に備えられる左側のインジケータ２２または右側のインジケータ２３のいずれかを点灯させるかが決定される。決定された左右が記録される（ステップＳ２２２）。
【００４７】
処理はステップＳ２２３に進み、記録された左右に基づいてインジケータ２２またはインジケータ２３のいずれかが所定の時間点灯し、その後消灯する（ステップＳ２２４）。消灯後、一定時間その状態を維持する（ステップＳ２２５）。この一連の処理Ｂをｐ回繰り返され、点滅パターンは認証処理が終了するまで記憶される。
【００４８】
図１０は点滅パターンの一例を示したものである。インジケータ２２またはインジケータ２３のいずれかが点灯することにより独立した２種の信号の変化からなる第１のパターンを呈示する。なお、点滅パターンの回数は任意に設定することができる。また、図１０に示す点滅パターンでは、点灯と点灯の間に消灯するタイミング（例えば２回目、４回目等）があるが、これは例えばインジケータ２２が複数回にわたり連続して点灯するときに、点灯間を区別するために設けたタイミングであり、必ずしも消灯するタイミングを設ける必要はなく、インジケータ２２またはインジケータ２３のいずれかの点灯が連続して行われるようにしてもよい。
【００４９】
ユーザは、インジケータ２２またはインジケータ２３の点灯を見て端末装置３２を操作する。すなわち、インジケータ２２が点灯したときは左側のボタン４２を押し、右側のインジケータ２３が点灯したときは右側のボタン４３を押すことで２種の入力信号の変化からなる第２のパターンを形成する。端末装置３３を用いた場合は、左右それぞれのインジケータの点灯に対応する方向キーを押す。
【００５０】
再び図８を用いて説明する。ユーザが端末装置３２を操作することで、右（right）または左（left）の入力パターンのデータが形成され、アクセスポイント１２に対して送信される。ｐ＝１０としたので、アクセスポイント１２は１０回のデータを受け取る（ステップＳ２０３）。続いて動作はステップＳ２０４に進み、点滅パターンと入力パターンのデータとの比較が行われる。
【００５１】
全てのデータが正しければ、第１の比較出力が形成され、接続要求が許可される（ステップＳ２０６）。入力パターンのデータは、左か右かの二者択一であり、上述したインジケータが１個の場合のように、ボタンを押すタイミングの遅延を考慮する必要はない。従って、１個でもデータの間違いがあれば第２の比較出力が形成されて、接続要求が却下され（ステップＳ２０７）、再度、接続要求が行なわれる（ステップＳ２０１）。
【００５２】
なお、上述した説明では、左右の入力パターンのデータのみで点滅パターンと端末装置３２からのデータの比較を行ったが、左右の入力パターンのデータと共に、ボタン４２またはボタン４３が入力された時間（タイミング）のデータを用いることも可能である。
【００５３】
この発明は、この発明の要旨を逸脱しない範囲内でさまざまな変形や応用が可能であり、上述した一実施形態に限定されることはない。例えば、接続要求があり、インジケータの点滅パターンがなされた後、一定時間、端末装置からデータが送られない場合は接続要求を却下するようにしてもよい。
【００５４】
上述した一実施形態では、インジケータの点滅によるパターンの変化を用いたが、その他にも例えばインジケータの色の違いや、音の大小または音量の変化によるパターンなどでもよく、ユーザが何らかの信号の変化を知覚でき、その変化に対応して端末装置の操作ができればよい。音量の変化によるパターンなどを用いた場合は、インジケータが見づらいときは効果的である。
【００５５】
また、よりセキュリティを高めるため、ある点滅パターンに対して始めに、端末装置から送られるデータのみに対して認証を行うようにしたり、端末装置からアクセスポイントなどのリソースに対して送るデータが盗聴されるのを防止するため、データを暗号化したり、無線の出力をしぼることで近距離のみでしか通信できないようにしてもよい。
【００５６】
また、この発明の適用範囲は、無線ＬＡＮのアクセスポイントに対するアクセス制御に限られない。例えば音楽サーバが設置されている場所で所望の音楽をワイヤレスヘッドホンで聞く場合など、サーバ型機器のようなネットワークに接続されていない機器に対する使用権限の制御にもこの発明を適用できる。
【００５７】
なお、この明細書においてシステムとは、複数の装置により構成される装置全体を表すものとする。
【図面の簡単な説明】
【００５８】
【図１】この発明の一実施形態におけるリソースの例であるアクセスポイントを示す略線図である。
【図２】この発明の一実施形態における端末装置を示す略線図である。
【図３】この発明の一実施形態における端末装置の他の例を示す略線図である。
【図４】この発明の一実施形態におけるリソースの処理を示すフローチャートである。
【図５】処理Ａの一例を示すフローチャートである。
【図６】この発明の一実施形態におけるインジケータの点滅を示す図である。
【図７】インジケータと端末装置の操作の関係の一例を示す略線図である。
【図８】この発明の一実施形態におけるリソースの処理の他の例を示すフローチャートである。
【図９】処理Ｂの一例を示すフローチャートである。
【図１０】この発明の一実施形態におけるインジケータの点滅の他の例を示す図である。
【符号の説明】
【００５９】
１１、１２        アクセスポイント
２１、２２、２３  インジケータ
３１、３２、３３  端末装置
４１、４２、４３  入力ボタン
【図１】
2006080734.tif 000003
【図２】
2006080734.tif 000004
【図３】
2006080734.tif 000005
【図４】
2006080734.tif 000006
【図５】
2006080734.tif 000007
【図６】
2006080734.tif 000008
【図７】
2006080734.tif 000009
【図８】
2006080734.tif 000010
【図９】
2006080734.tif 000011
【図１０】
2006080734.tif 000012